【手続補正書】
【提出日】平成25年5月1日(2013.5.1)
【手続補正１】
【補正対象書類名】特許請求の範囲
【補正対象項目名】全文
【補正方法】変更
【補正の内容】
【特許請求の範囲】
【請求項１】
入力された映像のフレーム間に補間フレームを挿入してフレームレートを変換する画像処理装置であって、
入力された映像のフレームを複数のブロックに分割し、ブロック毎の動きベクトルを検出する動きベクトル検出手段と、
前記動きベクトル検出手段による検出結果に基づいて、水平方向に移動する水平テロップ及び垂直方向に移動する垂直テロップの有無を検出するテロップ検出手段と、
前記テロップ検出手段による検出結果に基づいて、ブロック毎の動きベクトルを補正する補正手段と、
ブロック毎の動きベクトルを用いて補間フレームを生成する生成手段と、
を有し、
前記補正手段は、前記テロップ検出手段で前記水平テロップと前記垂直テロップの両方が検出されたブロックについて、前記水平テロップと前記垂直テロップの特徴量に応じて、前記水平テロップと前記垂直テロップのどちらか一方のテロップを選択し、選択したテロップに基づいてブロック毎の動きベクトルを補正する
ことを特徴とする画像処理装置。
【請求項２】
前記テロップ検出手段は、複数のブロックで構成される領域単位で、当該複数のブロックの動きベクトルに基づいて、前記水平テロップ及び前記垂直テロップの有無を検出することを特徴とする請求項１に記載の画像処理装置。
【請求項３】
前記テロップ検出手段は、水平方向に配列された複数のブロックで構成される領域単位で、当該複数のブロックの動きベクトルに基づいて、前記水平テロップ及び前記垂直テロップの有無を検出する
ことを特徴とする請求項２に記載の画像処理装置。
【請求項４】
前記補正手段は、前記テロップ検出手段で前記水平テロップと前記垂直テロップの両方が検出されたブロックについて、前記水平テロップと前記垂直テロップのうち移動速度が早いほうのテロップを選択し、選択したテロップに基づいてブロック毎の動きベクトルを補正する
ことを特徴とする請求項１〜３のいずれか１項に記載の画像処理装置。
【請求項５】
前記補正手段は、前記テロップ検出手段で前記水平テロップと前記垂直テロップの両方が検出されたブロックについて、前記水平テロップと前記垂直テロップの移動速度が両方とも閾値以上の場合には、水平テロップを選択し、選択した水平テロップに基づいてブロック毎の動きベクトルを補正する
ことを特徴とする請求項４に記載の画像処理装置。
【請求項６】
前記補正手段は、前記テロップ検出手段で前記水平テロップと前記垂直テロップの両方が検出されたブロックについて、前記水平テロップと前記垂直テロップの移動速度が両方とも閾値以上の場合には、１つ前の補間フレームを生成するときに選択されたテロップを選択し、選択したテロップに基づいてブロック毎の動きベクトルを補正する
ことを特徴とする請求項４に記載の画像処理装置。
【請求項７】
前記補正手段は、前記テロップ検出手段で前記水平テロップと前記垂直テロップの両方が検出されたブロックについて、前記水平テロップと前記垂直テロップのうちサイズが大きいほうのテロップを選択し、選択したテロップに基づいてブロック毎の動きベクトルを補正する
ことを特徴とする請求項１〜３のいずれか１項に記載の画像処理装置。
【請求項８】
前記補正手段は、前記テロップ検出手段で前記水平テロップと前記垂直テロップの両方が検出されたブロックについて、前記水平テロップと前記垂直テロップのサイズが両方とも閾値以上の場合には、水平テロップを選択し、選択した水平テロップに基づいてブロック毎の動きベクトルを補正する
ことを特徴とする請求項７に記載の画像処理装置。
【請求項９】
前記補正手段は、前記テロップ検出手段で前記水平テロップと前記垂直テロップの両方が検出されたブロックについて、前記水平テロップと前記垂直テロップのうち輝度が高いほうのテロップを選択し、選択したテロップに基づいてブロック毎の動きベクトルを補正する
ことを特徴とする請求項１〜３のいずれか１項に記載の画像処理装置。
【請求項１０】
前記補正手段は、前記テロップ検出手段で前記水平テロップと前記垂直テロップの両方が検出されたブロックについて、前記水平テロップと前記垂直テロップの輝度が両方とも閾値以上の場合には、水平テロップを選択し、選択した水平テロップに基づいてブロック毎の動きベクトルを補正する
ことを特徴とする請求項９に記載の画像処理装置。
【請求項１１】
入力された映像のフレーム間に補間フレームを挿入してフレームレートを変換する画像処理方法であって、
入力された映像のフレームを複数のブロックに分割し、ブロック毎の動きベクトルを検出する動きベクトル検出ステップと、
前記動きベクトル検出ステップでの検出結果に基づいて、水平方向に移動する水平テロップ及び垂直方向に移動する垂直テロップの有無を検出するテロップ検出ステップと、
前記テロップ検出ステップでの検出結果に基づいて、ブロック毎の動きベクトルを補正する補正ステップと、
ブロック毎の動きベクトルを用いて補間フレームを生成する生成ステップと、
を有し、
前記補正ステップでは、前記テロップ検出ステップで前記水平テロップと前記垂直テロップの両方が検出されたブロックについて、前記水平テロップと前記垂直テロップの特徴
量に応じて、前記水平テロップと前記垂直テロップのどちらか一方のテロップを選択し、選択したテロップに基づいてブロック毎の動きベクトルを補正する
ことを特徴とする画像処理方法。
【請求項１２】
前記テロップ検出ステップでは、複数のブロックで構成される領域単位で、当該複数のブロックの動きベクトルに基づいて、前記水平テロップ及び前記垂直テロップの有無を検出する
ことを特徴とする請求項１１に記載の画像処理方法。
【請求項１３】
前記テロップ検出ステップでは、水平方向に配列された複数のブロックで構成される領域単位で、当該複数のブロックの動きベクトルに基づいて、前記水平テロップ及び前記垂直テロップの有無を検出する
ことを特徴とする請求項１２に記載の画像処理方法。
【請求項１４】
前記補正ステップでは、前記テロップ検出ステップで前記水平テロップと前記垂直テロップの両方が検出されたブロックについて、前記水平テロップと前記垂直テロップのうち移動速度が早いほうのテロップを選択し、選択したテロップに基づいてブロック毎の動きベクトルを補正する
ことを特徴とする請求項１１〜１３のいずれか１項に記載の画像処理方法。
【請求項１５】
前記補正ステップでは、前記テロップ検出ステップで前記水平テロップと前記垂直テロップの両方が検出されたブロックについて、前記水平テロップと前記垂直テロップの移動速度が両方とも閾値以上の場合には、水平テロップを選択し、選択した水平テロップに基づいてブロック毎の動きベクトルを補正する
ことを特徴とする請求項１４に記載の画像処理方法。
【請求項１６】
前記補正ステップでは、前記テロップ検出ステップで前記水平テロップと前記垂直テロップの両方が検出されたブロックについて、前記水平テロップと前記垂直テロップの移動速度が両方とも閾値以上の場合には、１つ前の補間フレームを生成するときに選択されたテロップを選択し、選択したテロップに基づいてブロック毎の動きベクトルを補正する
ことを特徴とする請求項１４に記載の画像処理方法。
【請求項１７】
前記補正ステップでは、前記テロップ検出ステップで前記水平テロップと前記垂直テロップの両方が検出されたブロックについて、前記水平テロップと前記垂直テロップのうちサイズが大きいほうのテロップを選択し、選択したテロップに基づいてブロック毎の動きベクトルを補正する
ことを特徴とする請求項１１〜１３のいずれか１項に記載の画像処理方法。
【請求項１８】
前記補正ステップでは、前記テロップ検出ステップで前記水平テロップと前記垂直テロップの両方が検出されたブロックについて、前記水平テロップと前記垂直テロップのサイズが両方とも閾値以上の場合には、水平テロップを選択し、選択した水平テロップに基づいてブロック毎の動きベクトルを補正する
ことを特徴とする請求項１７に記載の画像処理方法。
【請求項１９】
前記補正ステップでは、前記テロップ検出ステップで前記水平テロップと前記垂直テロップの両方が検出されたブロックについて、前記水平テロップと前記垂直テロップのうち輝度が高いほうのテロップを選択し、選択したテロップに基づいてブロック毎の動きベクトルを補正する
ことを特徴とする請求項１１〜１３のいずれか１項に記載の画像処理方法。
【請求項２０】
前記補正ステップでは、前記テロップ検出ステップで前記水平テロップと前記垂直テロップの両方が検出されたブロックについて、前記水平テロップと前記垂直テロップの輝度が両方とも閾値以上の場合には、水平テロップを選択し、選択した水平テロップに基づいてブロック毎の動きベクトルを補正する
ことを特徴とする請求項１９に記載の画像処理方法。
【手続補正２】
【補正対象書類名】明細書
【補正対象項目名】０００７
【補正方法】変更
【補正の内容】
【０００７】
本発明の画像処理装置は、入力された映像のフレーム間に補間フレームを挿入してフレームレートを変換する画像処理装置であって、入力された映像のフレームを複数のブロックに分割し、ブロック毎の動きベクトルを検出する動きベクトル検出手段と、前記動きベクトル検出手段による検出結果に基づいて、水平方向に移動する水平テロップ及び垂直方向に移動する垂直テロップの有無を検出するテロップ検出手段と、前記テロップ検出手段による検出結果に基づいて、ブロック毎の動きベクトルを補正する補正手段と、ブロック毎の動きベクトルを用いて補間フレームを生成する生成手段と、を有し、前記補正手段は、前記テロップ検出手段で前記水平テロップと前記垂直テロップの両方が検出されたブロックについて、前記水平テロップと前記垂直テロップの特徴量に応じて、前記水平テロップと前記垂直テロップのどちらか一方のテロップを選択し、選択したテロップに基づいてブロック毎の動きベクトルを補正することを特徴とする。
【手続補正３】
【補正対象書類名】明細書
【補正対象項目名】０００８
【補正方法】変更
【補正の内容】
【０００８】
本発明の画像処理方法は、入力された映像のフレーム間に補間フレームを挿入してフレームレートを変換する画像処理方法であって、入力された映像のフレームを複数のブロックに分割し、ブロック毎の動きベクトルを検出する動きベクトル検出ステップと、前記動きベクトル検出ステップでの検出結果に基づいて、水平方向に移動する水平テロップ及び垂直方向に移動する垂直テロップの有無を検出するテロップ検出ステップと、前記テロップ検出ステップでの検出結果に基づいて、ブロック毎の動きベクトルを補正する補正ステップと、ブロック毎の動きベクトルを用いて補間フレームを生成する生成ステップと、を有し、前記補正ステップでは、前記テロップ検出ステップで前記水平テロップと前記垂直テロップの両方が検出されたブロックについて、前記水平テロップと前記垂直テロップの特徴量に応じて、前記水平テロップと前記垂直テロップのどちらか一方のテロップを選択し、選択したテロップに基づいてブロック毎の動きベクトルを補正することを特徴とする。